(57)【要約】【課題】ＶＧＲＳおよびＥＰＳを備える車両用操舵装置において、ＶＧＲＳの第１電動モータ３およびＥＰＳの第２電動モータ５を両方とも舵輪２からピニオンに至る力の伝達経路上に組み込んで車両内に配する場合でも、搭載性を低下させないことにある。【解決手段】ＶＧＲＳの第１電動モータ３とＥＰＳの第２電動モータ５とを、１つのモジュール１０４に含める。このように、第１、第２電動モータ３、５を１つのモジュール１０４に含めることで、第１、第２電動モータ３、５を近接配置できるので、第１、第２電動モータ３、５を個別に離して車両内に配する場合よりも、車両用操舵装置の搭載性を高めることができる。【選択図】図７
2009083545.tif 000002
【特許請求の範囲】
【請求項１】
舵輪の操舵角と転舵輪の舵角との間の伝達比を第１電動モータの出力により可変する舵角比可変装置と、
前記転舵輪の転舵を前記第１電動モータとは別の第２電動モータの出力によりアシストする電動パワーステアリング装置とを備える車両用操舵装置において、
前記舵角比可変装置は、
前記舵輪と一体に設けられ、前記舵輪に付与される操舵力により回転するステアリングシャフトと、
このステアリングシャフトに対して回動自在に組み込まれ、前記第１電動モータの出力により回転駆動されるとともに前記転舵輪と機械的に連結されて、前記第１電動モータの出力を前記転舵輪に伝達できる回転部材と、
前記ステアリングシャフトと回転部材との相対回転角を検出する回転角検出手段とを有し、
前記第１電動モータおよび前記第２電動モータは１つのモジュールをなし、
前記回転角検出手段は、前記ステアリングシャフトおよび前記回転部材の回転に伴い変位する磁石と、この磁石により形成される磁界の磁束密度を検出する磁界検出手段とを有し、前記ステアリングシャフトおよび前記回転部材の回転に伴う磁束密度の変化を、前記磁界検出手段により検出することで前記相対回転角を検出し、
前記磁石および前記磁界検出手段は、最大比透磁率３０万〜６５万の環状部材により包囲されていることを特徴とする車両用操舵装置。
【請求項２】
請求項１に記載の車両用操舵装置において、
前記回転角検出手段は、前記ステアリングシャフトの回転角を検出するシャフト側検出手段を具備し、
前記シャフト側検出手段は、
前記ステアリングシャフトの回転に伴い変位するシャフト側磁石と、
このシャフト側磁石により形成される磁界の磁束密度を検出するシャフト側磁界検出手段と、
前記ステアリングシャフトに設けられた雄ネジと螺合する雌ネジが設けられ、回転規制されて前記ステアリングシャフトの回転に伴い軸方向に上下動し、前記シャフト側磁石および前記シャフト側磁界検出手段の一方が搭載されるシャフト側ナット状部材とを有し、
このシャフト側ナット状部材の上下動に伴う磁束密度の変化を、前記シャフト側磁界検出手段により検出することで前記ステアリングシャフトの回転角を検出し、
前記環状部材は、前記シャフト側磁石、前記シャフト側磁界検出手段および前記シャフト側ナット状部材を外周側から包囲するとともに、前記シャフト側ナット状部材を回転規制して軸方向に上下動させることを特徴とする車両用操舵装置。
【請求項３】
請求項１に記載の車両用操舵装置において、
前記回転角検出手段は、前記回転部材の回転角を検出する回転部材側検出手段を具備し、
前記回転部材側検出手段は、
前記回転部材の回転に伴い変位する回転部材側磁石と、
この回転部材側磁石により形成される磁界の磁束密度を検出する回転部材側磁界検出手段と、
前記回転部材に設けられた雄ネジと螺合する雌ネジが設けられ、回転規制されて前記回転部材の回転に伴い軸方向に上下動し、前記回転部材側磁石および前記回転部材側磁界検出手段の一方が搭載される回転部材側ナット状部材とを有し、
この回転部材側ナット状部材の上下動に伴う磁束密度の変化を、前記回転部材側磁界検出手段により検出することで前記回転部材の回転角を検出し、
前記環状部材は、前記回転部材側磁石、前記回転部材側磁界検出手段および前記回転部材側ナット状部材を外周側から包囲するとともに、前記回転部材側ナット状部材を回転規制して軸方向に上下動させることを特徴とする車両用操舵装置。
【請求項４】
請求項１に記載の車両用操舵装置において、
前記回転角検出手段は、前記ステアリングシャフトの回転角を検出するシャフト側検出手段と、前記回転部材の回転角を検出する回転部材側検出手段とを具備し、
前記シャフト側検出手段は、
前記ステアリングシャフトの回転に伴い変位するシャフト側磁石と、
このシャフト側磁石により形成される磁界の磁束密度を検出するシャフト側磁界検出手段と、
前記ステアリングシャフトに設けられた雄ネジと螺合する雌ネジが設けられ、回転規制されて前記ステアリングシャフトの回転に伴い軸方向に上下動し、前記シャフト側磁石および前記シャフト側磁界検出手段の一方が搭載されるシャフト側ナット状部材とを有し、
このシャフト側ナット状部材の上下動に伴う磁束密度の変化を、前記シャフト側磁界検出手段により検出することで前記ステアリングシャフトの回転角を検出し、
前記回転部材側検出手段は、
前記回転部材の回転に伴い変位する回転部材側磁石と、
この回転部材側磁石により形成される磁界の磁束密度を検出する回転部材側磁界検出手段と、
前記回転部材に設けられた雄ネジと螺合する雌ネジが設けられ、回転規制されて前記回転部材の回転に伴い軸方向に上下動し、前記回転部材側磁石および前記回転部材側磁界検出手段の一方が搭載される回転部材側ナット状部材とを有し、
この回転部材側ナット状部材の上下動に伴う磁束密度の変化を、前記回転部材側磁界検出手段により検出することで前記回転部材の回転角を検出し、
前記環状部材は、前記シャフト側磁石、前記シャフト側磁界検出手段および前記シャフト側ナット状部材、ならびに前記回転部材側磁石、前記回転部材側磁界検出手段および前記回転部材側ナット状部材を外周側から包囲するとともに、前記シャフト側ナット状部材および前記回転部材側ナット状部材を回転規制して軸方向に上下動させることを特徴とする車両用操舵装置。
【請求項５】
請求項４に記載の車両用操舵装置において、
前記シャフト側ナット状部材および前記回転部材側ナット状部材は、外周縁の形状が同一であることを特徴とする車両用操舵装置。
【請求項６】
舵輪の操舵角と転舵輪の舵角との間の伝達比を第１電動モータの出力により可変する舵角比可変装置と、  
前記転舵輪の転舵を前記第１電動モータとは別の第２電動モータの出力によりアシストする電動パワーステアリング装置とを備える車両用操舵装置において、
前記舵角比可変装置は、
前記舵輪と一体に設けられ、前記舵輪に付与される操舵力により回転するステアリングシャフトと、
このステアリングシャフトに対して回動自在に組み込まれ、前記第１電動モータの出力により回転駆動されるとともに前記転舵輪と機械的に連結されて、前記第１電動モータの出力を前記転舵輪に伝達できる回転部材と、
前記ステアリングシャフトと回転部材との相対回転角を検出する回転角検出手段とを有し、
前記第１電動モータおよび前記第２電動モータは１つのモジュールをなし、
前記回転角検出手段は、前記ステアリングシャフトの回転角を検出するシャフト側検出手段と、前記回転部材の回転角を検出する回転部材側検出手段とを具備し、
前記シャフト側検出手段は、
前記ステアリングシャフトの回転に伴い変位するシャフト側磁石と、
このシャフト側磁石により形成される磁界の磁束密度を検出するシャフト側磁界検出手段と、
前記ステアリングシャフトに設けられた雄ネジと螺合する雌ネジが設けられ、回転規制されて前記ステアリングシャフトの回転に伴い軸方向に上下動し、前記シャフト側磁石および前記シャフト側磁界検出手段の一方が搭載されるシャフト側ナット状部材とを有し、
このシャフト側ナット状部材の上下動に伴う磁束密度の変化を、前記シャフト側磁界検出手段により検出することで前記ステアリングシャフトの回転角を検出し、
前記回転部材側検出手段は、
前記回転部材の回転に伴い変位する回転部材側磁石と、
この回転部材側磁石により形成される磁界の磁束密度を検出する回転部材側磁界検出手段と、
前記回転部材に設けられた雄ネジと螺合する雌ネジが設けられ、回転規制されて前記回転部材の回転に伴い軸方向に上下動し、前記回転部材側磁石および前記回転部材側磁界検出手段の一方が搭載される回転部材側ナット状部材とを有し、
この回転部材側ナット状部材の上下動に伴う磁束密度の変化を、前記回転部材側磁界検出手段により検出することで前記回転部材の回転角を検出し、
前記シャフト側磁石、前記シャフト側磁界検出手段および前記シャフト側ナット状部材、ならびに前記回転部材側磁石、前記回転部材側磁界検出手段および前記回転部材側ナット状部材は、最大比透磁率３０万〜６５万の環状部材により外周側から包囲され、
この環状部材は、前記シャフト側ナット状部材および前記回転部材側ナット状部材を回転規制して軸方向に上下動させることを特徴とする車両用操舵装置。
【請求項７】
舵輪の操舵角と転舵輪の舵角との間の伝達比を第１電動モータの出力により可変する舵角比可変装置と、
前記転舵輪の転舵を前記第１電動モータとは別の第２電動モータの出力によりアシストする電動パワーステアリング装置とを備える車両用操舵装置において、
前記舵角比可変装置は、
前記舵輪と一体に設けられ、前記舵輪に付与される操舵力により回転するステアリングシャフトと、
このステアリングシャフトに対して回動自在に組み込まれ、前記第１電動モータの出力により回転駆動されるとともに前記転舵輪と機械的に連結されて、前記第１電動モータの出力を前記転舵輪に伝達できる回転部材と、
前記ステアリングシャフトと回転部材との相対回転角を検出する回転角検出手段とを有し、
前記第１電動モータおよび前記第２電動モータは１つのモジュールをなし、
前記回転角検出手段は、前記ステアリングシャフトの回転角を検出するシャフト側検出手段と、前記回転部材の回転角を検出する回転部材側検出手段とを具備し、
前記シャフト側検出手段は、
前記ステアリングシャフトの回転に伴い変位するシャフト側磁石と、
このシャフト側磁石により形成される磁界の磁束密度を検出するシャフト側磁界検出手段と、
前記ステアリングシャフトに設けられた雄ネジと螺合する雌ネジが設けられ、回転規制されて前記ステアリングシャフトの回転に伴い軸方向に上下動し、前記シャフト側磁石および前記シャフト側磁界検出手段の一方が搭載されるシャフト側ナット状部材とを有し、
このシャフト側ナット状部材の上下動に伴う磁束密度の変化を、前記シャフト側磁界検出手段により検出することで前記ステアリングシャフトの回転角を検出し、
前記回転部材側検出手段は、
前記回転部材の回転に伴い変位する回転部材側磁石と、
この回転部材側磁石により形成される磁界の磁束密度を検出する回転部材側磁界検出手段と、
外周縁の形状が前記シャフト側ナット状部材と同一になるように設けられるとともに、前記回転部材に設けられた雄ネジと螺合する雌ネジが設けられ、回転規制されて前記回転部材の回転に伴い軸方向に上下動し、前記回転部材側磁石および前記回転部材側磁界検出手段の一方が搭載される回転部材側ナット状部材とを有し、
この回転部材側ナット状部材の上下動に伴う磁束密度の変化を、前記回転部材側磁界検出手段により検出することで前記回転部材の回転角を検出し、
前記シャフト側磁石、前記シャフト側磁界検出手段および前記シャフト側ナット状部材、ならびに前記回転部材側磁石、前記回転部材側磁界検出手段および前記回転部材側ナット状部材は、最大比透磁率３０万〜６５万の環状部材により外周側から包囲され、
この環状部材は、前記シャフト側ナット状部材および前記回転部材側ナット状部材を回転規制して軸方向に上下動させることを特徴とする車両用操舵装置。
【発明の詳細な説明】
【技術分野】
【０００１】
本発明は、車両用操舵装置に関するものである。
【背景技術】
【０００２】
従来から、車両用操舵装置には、舵輪の操舵角と転舵輪の舵角との間の伝達比（以下、舵角比と呼ぶ）を電動モータの出力により可変する舵角比可変装置（以下、ＶＧＲＳと略す）と、転舵輪の転舵を電動モータの出力によりアシストする電動パワーステアリング装置（以下、ＥＰＳと略す）とを備えるものが公知である。
【０００３】
例えば、特許文献１の車両用操舵装置は、ラックアンドピニオン式のステアリングギヤ機構を具備し、舵輪からピニオンに至る力の伝達経路上に電動モータを含むＶＧＲＳの要部が組み込まれ、ラックから転舵輪に至る力の伝達経路上にＥＰＳの電動モータが組み込まれている（以下、ＶＧＲＳの電動モータを第１電動モータと呼び、ＥＰＳの電動モータを第２電動モータと呼ぶ）。しかし、特許文献１の車両用操舵装置によれば、第２電動モータがラックから転舵輪に至る力の伝達経路上に組み込まれているため、第２電動モータに水滴等が付着する虞が高く、外部に対する保護に欠けるものである。
【０００４】
これに対し、特許文献２の車両用操舵装置によれば、舵輪からピニオンに至る力の伝達経路上に、第１電動モータを含むＶＧＲＳの要部、および第２電動モータを含むＥＰＳの要部の両方が組み込まれており、第２電動モータをラックから転舵輪に至る力の伝達経路上に組み込むことによる不具合が解消されている。しかし、第１、第２電動モータを両方とも舵輪からピニオンに至る力の伝達経路上に組み込む場合、多数の機器が存在する車両内に第１、第２電動モータを配する必要があり、第１、第２電動モータの組み込みに対する制約が大きい。
【０００５】
すなわち、第１、第２電動モータを両方とも舵輪からピニオンに至る力の伝達経路上に組み込んで車両内に配する場合、車両用操舵装置の搭載性が低下してしまう。
【０００６】
また、ＶＧＲＳは、例えば、舵輪に付与される操舵力により回転するステアリングシャフトと、ステアリングシャフトに対して回動自在に組み込まれ、第１電動モータの出力により回転駆動される回転部材と、舵角比に相当するステアリングシャフトの回転角や回転部材の回転角を検出する回転角検出手段と、回転角に応じて第１電動モータの動作を制御する制御手段とを有する。
【０００７】
そして、回転角検出手段は、ステアリングシャフト等の回転とともに回転変位する磁石と、磁石により形成される磁界の磁束密度を検出する磁界検出手段とを有し、磁石の変位に伴う磁束密度の変化を磁界検出手段により検出することで回転角を検出する（例えば、特許文献３、４参照）。
このため、回転角検出手段の近傍に別の磁石や大電流が流れる電線等が存在すると磁束密度が乱され、検出精度が低下してしまう。
【特許文献１】特開平５−１０５１０３号公報
【特許文献２】特開２００３−７２５７４号公報
【特許文献３】特許第２８４２４８２号公報
【特許文献４】特開２００４−２７１４９５号公報
【発明の開示】
【発明が解決しようとする課題】
【０００８】
本発明は、上記の問題点を解決するためになされたものであり、その目的は、ＶＧＲＳおよびＥＰＳを備える車両用操舵装置において、ＶＧＲＳの第１電動モータおよびＥＰＳの第２電動モータを両方とも舵輪からピニオンに至る力の伝達経路上に組み込んで車両内に配する場合でも、搭載性を低下させないこと、および、ＶＧＲＳの回転角検出手段に周辺の磁気が影響するのを阻止して検出精度を低下させないことにある。
【課題を解決するための手段】
【０００９】
〔請求項１の手段〕
請求項１に記載の車両用操舵装置は、舵輪の操舵角と転舵輪の舵角との間の伝達比（舵角比）を第１電動モータの出力により可変する舵角比可変装置（ＶＧＲＳ）と、転舵輪の転舵を第１電動モータとは別の第２電動モータの出力によりアシストする電動パワーステアリング装置（ＥＰＳ）とを備える。
【００１０】
また、ＶＧＲＳは、舵輪と一体に設けられ、舵輪に付与される操舵力により回転するステアリングシャフトと、ステアリングシャフトに対して回動自在に組み込まれ、第１電動モータの出力により回転駆動されるとともに転舵輪と機械的に連結されて、第１電動モータの出力を転舵輪に伝達できる回転部材と、ステアリングシャフトと回転部材との相対回転角を検出する回転角検出手段とを有する。
そして、第１電動モータおよび第２電動モータは１つのモジュールをなす。
【００１１】
また、回転角検出手段は、ステアリングシャフトおよび回転部材の回転に伴い変位する磁石と、磁石により形成される磁界の磁束密度を検出する磁界検出手段とを有し、ステアリングシャフトおよび回転部材の回転に伴う磁束密度の変化を、磁界検出手段により検出することで相対回転角を検出する。
そして、磁石および磁界検出手段は、最大比透磁率３０万〜６５万の環状部材により包囲されている。
【００１２】
まず、第１、第２電動モータを１つのモジュールとすることで、第１、第２電動モータを近接配置できるので、第１、第２電動モータを個別に離して車両内に配する場合よりも、車両用操舵装置の搭載性を高めることができる。
【００１３】
また、従来の車両用操舵装置によれば、第２電動モータは、転舵輪の転舵をアシストするために大きな出力が必要となり大型の機種が採用され、第１電動モータは、舵角比を維持できる程度の小型の機種が採用されていた。そして、このような第１、第２電動モータの大きさのアンバランスも、車両用操舵装置の搭載性低下の要因となっていた。
【００１４】
これに対し、請求項１の手段によれば、第１電動モータの出力により回転駆動される回転部材が転舵輪と機械的に連結されているので、第１電動モータの出力によっても転舵輪の転舵をアシストすることができる。そこで、第１電動モータを従来よりも大型化するとともに、第２電動モータを従来よりも小型化することで、アシスト能力を下げることなく第１、第２電動モータの大きさのアンバランスを解消することができる。そして、第１、第２電動モータの大きさのアンバランスが解消されることで、第１、第２電動モータを含むモジュールは均整のとれた形状になるので、さらに、車両用操舵装置の搭載性を高めることができる。
【００１５】
また、回転角検出手段の近傍に別の磁石や大電流が流れる電線等が存在しても、これらの周辺の磁気は、低透磁率の環状部材により回転角検出手段に対して遮蔽され、回転角検出手段に悪影響を与えない。このため、回転角検出手段に周辺の磁気が影響するのを阻止して検出精度を低下させないようにすることができる。
【００１６】
〔請求項２の手段〕
請求項２に記載の車両用操舵装置によれば、回転角検出手段は、ステアリングシャフトの回転角を検出するシャフト側検出手段を具備する。
また、シャフト側検出手段は、ステアリングシャフトの回転に伴い変位するシャフト側磁石と、シャフト側磁石により形成される磁界の磁束密度を検出するシャフト側磁界検出手段と、ステアリングシャフトに設けられた雄ネジと螺合する雌ネジが設けられ、回転規制されてステアリングシャフトの回転に伴い軸方向に上下動し、シャフト側磁石およびシャフト側磁界検出手段の一方が搭載されるシャフト側ナット状部材とを有し、シャフト側ナット状部材の上下動に伴う磁束密度の変化を、シャフト側磁界検出手段により検出することでステアリングシャフトの回転角を検出する。
そして、環状部材は、シャフト側磁石、シャフト側磁界検出手段およびシャフト側ナット状部材を外周側から包囲するとともに、シャフト側ナット状部材を回転規制して軸方向に上下動させる。
【００１７】
これにより、シャフト側検出手段を磁気遮蔽する機能と、シャフト側ナット状部材を回転規制して軸方向に上下動させる機能とを１つの部材（環状部材）に具備させることができるので、部品点数を削減できる。
【００１８】
〔請求項３の手段〕
請求項３に記載の車両用操舵装置によれば、回転角検出手段は、回転部材の回転角を検出する回転部材側検出手段を具備する。
また、回転部材側検出手段は、回転部材の回転に伴い変位する回転部材側磁石と、回転部材側磁石により形成される磁界の磁束密度を検出する回転部材側磁界検出手段と、回転部材に設けられた雄ネジと螺合する雌ネジが設けられ、回転規制されて回転部材の回転に伴い軸方向に上下動し、回転部材側磁石および回転部材側磁界検出手段の一方が搭載される回転部材側ナット状部材とを有し、回転部材側ナット状部材の上下動に伴う磁束密度の変化を、回転部材側磁界検出手段により検出することで回転部材の回転角を検出する。
そして、環状部材は、回転部材側磁石、回転部材側磁界検出手段および回転部材側ナット状部材を外周側から包囲するとともに、回転部材側ナット状部材を回転規制して軸方向に上下動させる。
【００１９】
これにより、回転部材側検出手段を磁気遮蔽する機能と、回転部材側ナット状部材を回転規制して軸方向に上下動させる機能とを１つの部材（環状部材）に具備させることができるので、部品点数を削減できる。
【００２０】
〔請求項４の手段〕
請求項４に記載の車両用操舵装置によれば、回転角検出手段は、ステアリングシャフトの回転角を検出するシャフト側検出手段と、回転部材の回転角を検出する回転部材側検出手段とを具備する。
また、シャフト側検出手段は、ステアリングシャフトの回転に伴い変位するシャフト側磁石と、シャフト側磁石により形成される磁界の磁束密度を検出するシャフト側磁界検出手段と、ステアリングシャフトに設けられた雄ネジと螺合する雌ネジが設けられ、回転規制されてステアリングシャフトの回転に伴い軸方向に上下動し、シャフト側磁石およびシャフト側磁界検出手段の一方が搭載されるシャフト側ナット状部材とを有し、シャフト側ナット状部材の上下動に伴う磁束密度の変化を、シャフト側磁界検出手段により検出することでステアリングシャフトの回転角を検出する。
【００２１】
また、回転部材側検出手段は、回転部材の回転に伴い変位する回転部材側磁石と、回転部材側磁石により形成される磁界の磁束密度を検出する回転部材側磁界検出手段と、回転部材に設けられた雄ネジと螺合する雌ネジが設けられ、回転規制されて回転部材の回転に伴い軸方向に上下動し、回転部材側磁石および回転部材側磁界検出手段の一方が搭載される回転部材側ナット状部材とを有し、回転部材側ナット状部材の上下動に伴う磁束密度の変化を、回転部材側磁界検出手段により検出することで回転部材の回転角を検出する。
そして、環状部材は、シャフト側磁石、シャフト側磁界検出手段およびシャフト側ナット状部材、ならびに回転部材側磁石、回転部材側磁界検出手段および回転部材側ナット状部材を外周側から包囲するとともに、シャフト側ナット状部材および回転部材側ナット状部材を回転規制して軸方向に上下動させる。
【００２２】
これにより、シャフト側検出手段および回転部材側検出手段を磁気遮蔽する機能と、シャフト側ナット状部材および回転部材側ナット状部材を回転規制して軸方向に上下動させる機能とを１つの部材（環状部材）に具備させることができるので、さらに、部品点数を削減できる。
【００２３】
〔請求項５の手段〕
請求項５に記載の車両用操舵装置によれば、シャフト側ナット状部材および回転部材側ナット状部材は、外周縁の形状が同一である。
これにより、環状部材の内周縁の形状を軸方向において同一にすることができる。このため、部品点数削減効果が極めて大きい請求項４の環状部材を低コストで製造できる。
【００２４】
〔請求項６の手段〕
請求項６に記載の車両用操舵装置は、舵角比を第１電動モータの出力により可変するＶＧＲＳと、転舵輪の転舵を第１電動モータとは別の第２電動モータの出力によりアシストするＥＰＳとを備える。
ＶＧＲＳは、舵輪と一体に設けられ、舵輪に付与される操舵力により回転するステアリングシャフトと、ステアリングシャフトに対して回動自在に組み込まれ、第１電動モータの出力により回転駆動されるとともに転舵輪と機械的に連結されて、第１電動モータの出力を転舵輪に伝達できる回転部材と、ステアリングシャフトと回転部材との相対回転角を検出する回転角検出手段とを有する。
そして、第１電動モータおよび第２電動モータは１つのモジュールをなす。
【００２５】
また、回転角検出手段は、ステアリングシャフトの回転角を検出するシャフト側検出手段と、回転部材の回転角を検出する回転部材側検出手段とを具備する。
そして、シャフト側検出手段は、ステアリングシャフトの回転に伴い変位するシャフト側磁石と、シャフト側磁石により形成される磁界の磁束密度を検出するシャフト側磁界検出手段と、ステアリングシャフトに設けられた雄ネジと螺合する雌ネジが設けられ、回転規制されてステアリングシャフトの回転に伴い軸方向に上下動し、シャフト側磁石およびシャフト側磁界検出手段の一方が搭載されるシャフト側ナット状部材とを有し、シャフト側ナット状部材の上下動に伴う磁束密度の変化を、シャフト側磁界検出手段により検出することでステアリングシャフトの回転角を検出する。
【００２６】
また、回転部材側検出手段は、回転部材の回転に伴い変位する回転部材側磁石と、回転部材側磁石により形成される磁界の磁束密度を検出する回転部材側磁界検出手段と、回転部材に設けられた雄ネジと螺合する雌ネジが設けられ、回転規制されて回転部材の回転に伴い軸方向に上下動し、回転部材側磁石および回転部材側磁界検出手段の一方が搭載される回転部材側ナット状部材とを有し、回転部材側ナット状部材の上下動に伴う磁束密度の変化を、回転部材側磁界検出手段により検出することで回転部材の回転角を検出する。
【００２７】
そして、シャフト側磁石、シャフト側磁界検出手段およびシャフト側ナット状部材、ならびに回転部材側磁石、回転部材側磁界検出手段および回転部材側ナット状部材は、最大比透磁率３０万〜６５万の環状部材により外周側から包囲されている。また、環状部材は、シャフト側ナット状部材および回転部材側ナット状部材を回転規制して軸方向に上下動させる。
【００２８】
〔請求項７の手段〕
請求項７に記載の車両用操舵装置は、舵角比を第１電動モータの出力により可変するＶＧＲＳと、転舵輪の転舵を第１電動モータとは別の第２電動モータの出力によりアシストするＥＰＳとを備える。
ＶＧＲＳは、舵輪と一体に設けられ、舵輪に付与される操舵力により回転するステアリングシャフトと、ステアリングシャフトに対して回動自在に組み込まれ、第１電動モータの出力により回転駆動されるとともに転舵輪と機械的に連結されて、第１電動モータの出力を転舵輪に伝達できる回転部材と、ステアリングシャフトと回転部材との相対回転角を検出する回転角検出手段とを有する。
そして、第１電動モータおよび第２電動モータは１つのモジュールをなす。
【００２９】
また、回転角検出手段は、ステアリングシャフトの回転角を検出するシャフト側検出手段と、回転部材の回転角を検出する回転部材側検出手段とを具備する。
そして、シャフト側検出手段は、ステアリングシャフトの回転に伴い変位するシャフト側磁石と、シャフト側磁石により形成される磁界の磁束密度を検出するシャフト側磁界検出手段と、ステアリングシャフトに設けられた雄ネジと螺合する雌ネジが設けられ、回転規制されてステアリングシャフトの回転に伴い軸方向に上下動し、シャフト側磁石およびシャフト側磁界検出手段の一方が搭載されるシャフト側ナット状部材とを有し、シャフト側ナット状部材の上下動に伴う磁束密度の変化を、シャフト側磁界検出手段により検出することでステアリングシャフトの回転角を検出する。
【００３０】
また、回転部材側検出手段は、回転部材の回転に伴い変位する回転部材側磁石と、回転部材側磁石により形成される磁界の磁束密度を検出する回転部材側磁界検出手段と、外周縁の形状がシャフト側ナット状部材と同一になるように設けられるとともに、回転部材に設けられた雄ネジと螺合する雌ネジが設けられ、回転規制されて回転部材の回転に伴い軸方向に上下動し、回転部材側磁石および回転部材側磁界検出手段の一方が搭載される回転部材側ナット状部材とを有し、回転部材側ナット状部材の上下動に伴う磁束密度の変化を、回転部材側磁界検出手段により検出することで回転部材の回転角を検出する。
【００３１】
そして、シャフト側磁石、シャフト側磁界検出手段およびシャフト側ナット状部材、ならびに回転部材側磁石、回転部材側磁界検出手段および回転部材側ナット状部材は、最大比透磁率３０万〜６５万の環状部材により外周側から包囲されている。また、環状部材は、シャフト側ナット状部材および回転部材側ナット状部材を回転規制して軸方向に上下動させる。
【発明を実施するための最良の形態】
【００３２】
最良の形態の車両用操舵装置は、舵角比を第１電動モータの出力により可変するＶＧＲＳと、転舵輪の転舵を第１電動モータとは別の第２電動モータの出力によりアシストするＥＰＳとを備える。
【００３３】
また、ＶＧＲＳは、舵輪と一体に設けられ、舵輪に付与される操舵力により回転するステアリングシャフトと、ステアリングシャフトに対して回動自在に組み込まれ、第１電動モータの出力により回転駆動されるとともに転舵輪と機械的に連結されて、第１電動モータの出力を転舵輪に伝達できる回転部材と、ステアリングシャフトと回転部材との相対回転角を検出する回転角検出手段とを有する。
そして、第１電動モータおよび第２電動モータは１つのモジュールをなす。
【００３４】
また、回転角検出手段は、ステアリングシャフトおよび回転部材の回転に伴い変位する磁石と、磁石により形成される磁界の磁束密度を検出する磁界検出手段とを有し、ステアリングシャフトおよび回転部材の回転に伴う磁束密度の変化を、磁界検出手段により検出することで相対回転角を検出する。
そして、磁石および磁界検出手段は、最大比透磁率３０万〜６５万の環状部材により包囲されている。
【００３５】
また、回転角検出手段は、ステアリングシャフトの回転角を検出するシャフト側検出手段と、回転部材の回転角を検出する回転部材側検出手段とを具備する。
シャフト側検出手段は、ステアリングシャフトの回転に伴い変位するシャフト側磁石と、シャフト側磁石により形成される磁界の磁束密度を検出するシャフト側磁界検出手段と、ステアリングシャフトに設けられた雄ネジと螺合する雌ネジが設けられ、回転規制されてステアリングシャフトの回転に伴い軸方向に上下動し、シャフト側磁石およびシャフト側磁界検出手段の一方が搭載されるシャフト側ナット状部材とを有し、シャフト側ナット状部材の上下動に伴う磁束密度の変化を、シャフト側磁界検出手段により検出することでステアリングシャフトの回転角を検出する。
【００３６】
回転部材側検出手段は、回転部材の回転に伴い変位する回転部材側磁石と、回転部材側磁石により形成される磁界の磁束密度を検出する回転部材側磁界検出手段と、回転部材に設けられた雄ネジと螺合する雌ネジが設けられ、回転規制されて回転部材の回転に伴い軸方向に上下動し、回転部材側磁石および回転部材側磁界検出手段の一方が搭載される回転部材側ナット状部材とを有し、回転部材側ナット状部材の上下動に伴う磁束密度の変化を、回転部材側磁界検出手段により検出することで回転部材の回転角を検出する。
【００３７】
そして、環状部材は、シャフト側磁石、シャフト側磁界検出手段およびシャフト側ナット状部材、ならびに回転部材側磁石、回転部材側磁界検出手段および回転部材側ナット状部材を外周側から包囲するとともに、シャフト側ナット状部材および回転部材側ナット状部材を回転規制して軸方向に上下動させる。
また、シャフト側ナット状部材および回転部材側ナット状部材は、外周縁の形状が同一である。
【実施例１】
【００３８】
〔実施例１の構成〕
実施例１の車両用操舵装置１を図面に基づいて説明する。
車両用操舵装置１は、図１に示すように、舵輪２の操舵角と転舵輪（図示せず）の舵角との間の伝達比（舵角比）を第１電動モータ３の出力により可変する舵角比可変装置（ＶＧＲＳ）４と、転舵輪の転舵を第１電動モータ３とは別の第２電動モータ５の出力によりアシストする電動パワーステアリング装置（ＥＰＳ）６とを備える。
【００３９】
また、車両用操舵装置１は、ラックアンドピニオン式のステアリングギヤ機構９を具備し、舵輪２からピニオン１０に至る力の伝達経路上に、第１電動モータ３を含むＶＧＲＳ４の要部、および第２電動モータ５を含むＥＰＳ６の要部が組み込まれている。
【００４０】
ＶＧＲＳ４は、図１、図２に示すように、舵輪２と一体に設けられ、舵輪２に付与される操舵力により回転するステアリングシャフト１２と、ステアリングシャフト１２に対して回動自在に組み込まれ、第１電動モータ３の出力により回転駆動されるとともに転舵輪と機械的に連結されて、第１電動モータ３の出力を転舵輪に伝達できる第１回転部材１３と、ステアリングシャフト１２と第１回転部材１３との相対回転角を検出する回転角検出手段１４と、検出された相対回転角に応じて第１電動モータ３の動作を制御する第１制御手段１５とを有する。
【００４１】
第１電動モータ３は、例えば図３に示すように、固定子に組み込まれた３相のコイル１８〜２０と、回転子に組み込まれた磁石（図示せず）とを有し、コイル１８〜２０に流れる電流と、磁石により形成される磁界との相互作用によりトルクを発生するブラシレスの同期モータである。
【００４２】
また、第１電動モータ３には回転子の回転位置を検出する位置センサ２１が装備され、コイル１８〜２０への通電量は、例えば３つの電流検出抵抗からなる電流検出手段２２により検出される。そして、回転子の回転位置の検出値およびコイル１８〜２０への通電量の検出値は、第１制御手段１５に入力されて第１電動モータ３の制御に利用される。
なお、第１電動モータ３の出力軸は、図１、図２に示すようにウォーム２３をなしている。
【００４３】
第１回転部材１３は、図１、図２に示すように、ステアリングシャフト１２と同軸的に配されてステアリングシャフト１２の先端を軸受けする軸部２６と、軸部２６の外周側に略円板状に設けられてウォーム２３と噛み合うウォームホイール２７とを有する。そして、ウォームホイール２７は、第１電動モータ３の出力部たるウォーム２３に対する第１回転部材１３の入力部をなす。
【００４４】
回転角検出手段１４は、図２に示すように、ステアリングシャフト１２の回転角を検出するシャフト側検出手段３０、および第１回転部材１３の回転角を検出する回転部材側検出手段３１を具備する。
【００４５】
シャフト側検出手段３０は、図２、図４に示すように、ステアリングシャフト１２の外周面に組み付けられたシャフト側磁石３３と、シャフト側磁石３３により形成される磁界の磁束密度を検出する２つのシャフト側磁界検出手段３４、３５と、シャフト側磁界検出手段３４、３５が搭載されるシャフト側ナット状部材３６とを有する。
【００４６】
シャフト側磁界検出手段３４、３５は、例えば、磁界の磁束密度を検出するホール素子（図示せず）と、このホール素子から得られる出力信号をデジタル処理する処理回路（図示せず）とが１パッケージ化されたホールＩＣである。また、シャフト側磁界検出手段３４、３５は、周方向に９０°の角度間隔を隔ててシャフト側ナット状部材３６に搭載されている。
【００４７】
シャフト側ナット状部材３６は、ステアリングシャフト１２の外周面の雄ネジ３９と螺合する雌ネジ４０が設けられている。これにより、シャフト側ナット状部材３６はステアリングシャフト１２に螺合する。また、シャフト側ナット状部材３６には、環状部材４１の平坦な内周面４２に径方向に面接触する平坦外周縁４３が設けられ、内周面４２と平坦外周縁４３との面接触により回転が規制される。この結果、ステアリングシャフト１２が回転しても、シャフト側ナット状部材３６は回転することなく軸方向に上下動する。
【００４８】
以上により、シャフト側磁石３３は、ステアリングシャフト１２の回転に伴い、軸方向に上下動することなく回転する。また、シャフト側磁界検出手段３４、３５は、シャフト側ナット状部材３６の上下動に伴い、回転することなく軸方向に上下動する。
【００４９】
このため、シャフト側磁界検出手段３４、３５の各々から出力される検出信号は、図５に示すように、ステアリングシャフト１２の回転角に対して正弦波状に、かつ、シャフト側磁石３３と２つのシャフト側磁界検出手段３４、３５との軸方向距離が大きくなるのに伴い（つまり、回転角の絶対的な数値が所定の特定値から増加したり減少したりするのに伴い）正弦波の振幅が小さくなるように変化する。
【００５０】
また、シャフト側磁界検出手段３４、３５は、周方向に９０°の角度間隔を隔てて搭載されているため、シャフト側磁界検出手段３４から出力される検出信号とシャフト側磁界検出手段３５から出力される検出信号とは位相が９０°ずれている。
【００５１】
回転部材側検出手段３１は、図２、図４に示すように、第１回転部材１３の外周面に組み付けられた回転部材側磁石４６と、回転部材側磁石４６により形成される磁界の磁束密度を検出する２つの回転部材側磁界検出手段４７、４８と、回転部材側磁界検出手段４７、４８が搭載される回転部材側ナット状部材４９とを有する。
【００５２】
回転部材側磁界検出手段４７、４８は、例えば、磁界の磁束密度を検出するホール素子（図示せず）と、このホール素子から得られる出力信号をデジタル処理する処理回路（図示せず）とが１パッケージ化されたホールＩＣである。また、回転部材側磁界検出手段４７、４８は、周方向に９０°の角度間隔を隔てて回転部材側ナット状部材４９に搭載されている。
【００５３】
回転部材側ナット状部材４９は、第１回転部材１３の外周面の雄ネジ５２と螺合する雌ネジ５３が設けられている。これにより、回転部材側ナット状部材４９は第１回転部材１３に螺合する。また、回転部材側ナット状部材４９には、環状部材４１の平坦な内周面４２に径方向に面接触する平坦外周縁５６が設けられ、内周面４２と平坦外周縁５６との面接触により回転が規制される。この結果、第１回転部材１３が回転しても、回転部材側ナット状部材４９は回転することなく軸方向に上下動する。
【００５４】
ここで、環状部材４１は、軸方向に互いに平行な２つの平坦な内周面４２を有する略円筒状に設けられている。また、シャフト側ナット状部材３６および回転部材側ナット状部材４９は外周縁の形状が同一であり、各々の平坦外周縁４３、５６は２つの平坦な内周面４２に面接触する。
【００５５】
また、環状部材４１は、例えば、パーマロイのように低透磁率の素材を用いて最大比透磁率３０万〜６５万となるように設けられ、シャフト側磁石３３、シャフト側磁界検出手段３４、３５およびシャフト側ナット状部材３６、ならびに回転部材側磁石４６、回転部材側磁界検出手段４７、４８および回転部材側ナット状部材４９を外周側から包囲する。
【００５６】
以上により、回転部材側磁石４６は、第１回転部材１３の回転に伴い、軸方向に上下動することなく回転する。また、回転部材側磁界検出手段４７、４８は、回転部材側ナット状部材４９の上下動に伴い、回転することなく軸方向に上下動する。
【００５７】
このため、回転部材側磁界検出手段４７、４８の各々から出力される検出信号も、図５に示すように、第１回転部材１３の回転角に対して正弦波状に、かつ、回転部材側磁石４６と２つの回転部材側磁界検出手段４７、４８との軸方向距離が大きくなるのに伴い（つまり、回転角の絶対的な数値が所定の特定値から増加したり減少したりするのに伴い）正弦波の振幅が小さくなるように変化する。
【００５８】
また、回転部材側磁界検出手段４７、４８は、周方向に９０°の角度間隔を隔てて搭載されているため、回転部材側磁界検出手段４７から出力される検出信号と回転部材側磁界検出手段４８から出力される検出信号とは位相が９０°ずれている。
【００５９】
第１制御手段１５は、図３に示すように、電流検出手段２２、位置センサ２１、回転角検出手段１４および車速センサ５９等の各種検出手段からの検出信号等を入力処理する入力装置６０と、制御機能および演算機能を有し、入力装置６０から得られる各種の検出値に基づいて第１電動モータ３を制御するための指令値を算出するＣＰＵ６１と、ＣＰＵ６１による制御処理および演算処理に用いられる各種データおよび制御プログラムを記憶する記憶装置（図示せず）と、ＣＰＵ６１から得られる指令値に応じて、第１電動モータ３を制御するための指令信号を合成して出力する出力装置６２とを含む周知のマイクロコンピュータとして構成される。
【００６０】
さらに、第１制御手段１５は、出力装置６２から出力される指令信号に応じて作動する６つのＭＯＳＦＥＴにより構成されるインバータ６３と、電源ＩＣ６４、ヒューズ６５およびヒューズリレー６６等を有し、電源６７からインバータ６３に電力を供給させる周知の電源回路６８とを含むように設けられ、１つの電子制御装置（ＥＣＵ）を構成する（以下、第１制御手段１５を第１ＥＣＵ１５とする）。
【００６１】
ＥＰＳ６は、図１、図２に示すように、第２電動モータ５の出力により回転駆動されるとともに第１回転部材１３および転舵輪に機械的に連結されて、第２電動モータ５の出力を転舵輪に伝達する第２回転部材７２と、第１回転部材１３から第２回転部材７２に伝達されるトルクを検出するトルク検出手段７３と、検出されたトルクに応じて第２電動モータ５の動作を制御する第２制御手段７４とを有する。
【００６２】
第２電動モータ５は、例えば図６に示すように、固定子に組み込まれた３相のコイル７６〜７８と、回転子に組み込まれた磁石（図示せず）とを有し、コイル７６〜７８に流れる電流と、磁石により形成される磁界との相互作用によりトルクを発生するブラシレスの同期モータである。
【００６３】
また、第２電動モータ５には回転子の回転位置を検出する位置センサ７９が装備され、コイル７６〜７８への通電量は、例えば３つの電流検出抵抗からなる電流検出手段８０により検出される。そして、回転子の回転位置の検出値およびコイル７６〜７８への通電量の検出値は、第２制御手段７４に入力されて第２電動モータ５の制御に利用される。
なお、第２電動モータ５の出力軸は、図１、図２に示すようにウォーム８１をなしており、第１電動モータ３のウォーム２３と略同一径である。また、第２電動モータ５は、第１電動モータ３と同一形状かつ同一定格である。
【００６４】
第２回転部材７２は、図１、図２に示すように、筒状に設けられてステアリングシャフト１２および第１回転部材１３と同軸的に配される筒状軸部８４と、筒状軸部８４の外周側に略円板状に設けられてウォーム８１と噛み合うウォームホイール８５とを有する。
【００６５】
筒状軸部８４は、図２に示すように、後記するトーションバー８７とともに第１回転部材１３と一体に設けられている。つまり、第１、第２回転部材１３、７２は、トーションバー８７と一体に設けられることで互いに機械的に連結している。また、ウォームホイール８５は、第２電動モータ５の出力部たるウォーム８１に対する第２回転部材７２の入力部をなし、第１回転部材１３のウォームホイール２７と略同一径である。
【００６６】
トルク検出手段７３は、図２に示すように、略円筒状に設けられトルク負荷に伴う捩りにより周方向に弾性力を蓄えるトーションバー８７と、トーションバー８７の外周面に組み込まれた磁石８８と、磁石８８により形成される磁界の磁束密度を検出する磁界検出手段８９とを有する。
【００６７】
トーションバー８７は、軸部２６および筒状軸部８４と同軸的に設けられて第１、第２回転部材１３、７２を互いに機械的に連結し、第１回転部材１３から第２回転部材７２へのトルクの伝達経路をなす。また、磁界検出手段８９は、筒状軸部８４の内周に固定された強磁性の素材からなる櫛歯状の環状歯９０と、ホールＩＣ９１とを有する。
【００６８】
これにより、トーションバー８７が捩られて磁石８８と環状歯９０との相対位置が変化すると、ホールＩＣ９１により検出される磁界の磁束密度が変化する。この結果、トルク検出手段７３は、トーションバー８７の捩り量を磁束密度の変化に変換するとともに磁束密度の変化を磁界検出手段８９により検出することで、第１回転部材１３から第２回転部材７２に伝わるトルクを検出することができる。
【００６９】
第２制御手段７４は、図６に示すように、電流検出手段８０、位置センサ７９、トルク検出手段７３および車速センサ５９等の各種検出手段からの検出信号等を入力処理する入力装置９３と、制御機能および演算機能を有し、入力装置９３から得られる各種の検出値に基づいて第２電動モータ５を制御するための指令値を算出するＣＰＵ９４と、ＣＰＵ９４による制御処理および演算処理に用いられる各種データおよび制御プログラムを記憶する記憶装置（図示せず）と、ＣＰＵ９４から得られる指令値に応じて、第２電動モータ５を制御するための指令信号を合成して出力する出力装置９５とを含む周知のマイクロコンピュータとして構成される。
【００７０】
さらに、第２制御手段７４は、出力装置９５から出力される指令信号に応じて作動する６つのＭＯＳＦＥＴにより構成されるインバータ９６と、電源ＩＣ９７、ヒューズ９８およびヒューズリレー９９等を有し、電源６７からインバータ９６に電力を供給させる周知の電源回路１００とを含むように設けられ、１つの電子制御装置（ＥＣＵ）を構成する（以下、第２制御手段７４を第２ＥＣＵ７４とする）。
【００７１】
以上の構成を有する車両用操舵装置１において、第１、第２電動モータ３、５、第１、第２回転部材１３、７２、第１、第２ＥＣＵ１５、７４、回転角検出手段１４およびトルク検出手段７３は、１つのモジュール１０４をなす。
【００７２】
モジュール１０４は、図２に示すように、シャフト側磁石３３および雄ネジ３９を有するステアリングシャフト１２の先端部をも含んで設けられ、ステアリングシャフト１２の先端部、第１、第２回転部材１３、７２、回転角検出手段１４およびトルク検出手段７３は１つの筐体１０６に収容されている。また、筐体１０６は、環状部材４１と一体に設けられている。
【００７３】
また、第１、第２ＥＣＵ１５、７４は軸方向に縦列に配置されて１つのハウジング（以下、ＥＣＵハウジング１０７とする：図７参照）に収容され、第１、第２電動モータ３、５は、ウォーム２３、８１が突出するようにＥＣＵハウジング１０７に縦列に組み付けられる。
そして、第１、第２電動モータ３、５を組み付けたＥＣＵハウジング１０７を、第１、第２回転部材１３、７２等を収容する筐体１０６に装着することで、モジュール１０４が構成される。
【００７４】
〔実施例１の効果〕
実施例１の車両用操舵装置１によれば、ＶＧＲＳ４の第１電動モータ３とＥＰＳ６の第２電動モータ５とは１つのモジュール１０４をなす。
このように、第１、第２電動モータ３、５を１つのモジュール１０４とすることで、第１、第２電動モータ３、５を近接配置できるので、第１、第２電動モータ３、５を個別に離して車両内に配する場合よりも、車両用操舵装置１の搭載性を高めることができる。
【００７５】
また、第２電動モータ５は転舵輪の転舵をアシストするために大きな出力が必要となり、従来から大型の機種が採用され、第１電動モータ３は舵角比を維持できる程度の出力が得られれば充分であり、従来から小型の機種が採用されている。しかし、このような第１、第２電動モータ３、５の大きさのアンバランスも、車両用操舵装置１の搭載性低下の要因となっている。
【００７６】
これに対し、実施例１の車両用操舵装置１によれば、第１電動モータ３の出力により回転駆動される第１回転部材１３が転舵輪と機械的に連結されているので、第１電動モータ３の出力によっても転舵輪の転舵をアシストすることができる。そこで、第１電動モータ３を従来よりも大型化するとともに、第２電動モータ５を従来よりも小型化することで、アシスト能力を下げることなく第１、第２電動モータ３、５の大きさのアンバランスを解消することができる。そして、第１、第２電動モータ３、５の大きさのアンバランスが解消されることで、第１、第２電動モータ３、５を含むモジュール１０４は均整のとれた形状になるので、さらに、車両用操舵装置１の搭載性を高めることができる。
【００７７】
また、第１、第２回転部材１３、７２もモジュール１０４に組み込まれている。
これにより、第１、第２電動モータ３、５や第１、第２回転部材１３、７２を車両内に配する前に、予め、ウォーム２３とウォームホイール２７との噛合わせ、およびウォーム８１とウォームホイール８５との噛合わせを調整することができる。このため、噛合わせ調整の煩雑さを緩和して作業工数を減らすことができる。
【００７８】
また、第１、第２電動モータ３、５は、同一形状かつ同一定格である。
これにより、モジュール１０４に組み込むモータ機種を１つに統一できるので、モジュール１０４のコストを下げることができる。
【００７９】
また、ウォーム２３、８１は互いに略同一径であり、ウォームホイール２７、８５も互いに略同一径である。
これにより、ウォーム２３、８１およびウォームホイール２７、８５を、各々、１つの品種に統一できるので、モジュール１０４のコストを下げることができる。
【００８０】
また、第１、第２ＥＣＵ１５、７４もモジュール１０４に組み込まれている。
これにより、ＥＣＵハウジング１０７を、第１、第２ＥＣＵ１５、７４の個別に分離して設けることなく１つにまとめることができる。このため、モジュール１０４のコストを下げることができる。
【００８１】
さらに、回転角検出手段１４およびトルク検出手段７３もモジュール１０４に組み込まれている。
これにより、回転角検出手段１４およびトルク検出手段７３を、車両内に配する前に予め調整しておくことができる。このため、回転角検出手段１４およびトルク検出手段７３の調整の煩雑さを緩和することができる。
【００８２】
また、シャフト側検出手段３０は、回転規制されてステアリングシャフト１２の回転に伴い軸方向に上下動するシャフト側ナット状部材３６と、ステアリングシャフト１２の外周面に組み付けられたシャフト側磁石３３と、シャフト側ナット状部材３６に、周方向に９０°の角度間隔を隔てて搭載された２つのシャフト側磁界検出手段３４、３５とを有し、シャフト側ナット状部材３６の上下動およびステアリングシャフト１２の回転に伴う磁束密度の変化を、２つのシャフト側磁界検出手段３４、３５により検出することでステアリングシャフト１２の回転角を検出する。
【００８３】
これにより、シャフト側磁石３３は、軸方向に上下動することなく回転し、２つのシャフト側磁界検出手段３４、３５は、回転することなく軸方向に上下動する。そして、２つのシャフト側磁界検出手段３４、３５の各々から出力される検出信号は、ステアリングシャフト１２の回転角に対して正弦波状に、かつ、シャフト側磁石３３と２つのシャフト側磁界検出手段３４、３５との軸方向距離が大きくなるのに伴い（つまり、回転角の絶対的な数値が所定の特定値から増加したり減少したりするのに伴い）正弦波の振幅が小さくなるように変化する（図５参照）。
【００８４】
このため、正弦波の位相と振幅とから、回転角の絶対的な数値が正負のいずれか一方に大きくなっても一義的に検出することができる。さらに、２つのシャフト側磁界検出手段３４、３５から得られる２つの正弦波状の検出信号は位相が９０°ずれているため、２つの検出信号に基づく逆正接を演算することで、ステアリングシャフト１２の回転角を極めて高精度に算出することができる。
【００８５】
なお、第１回転部材１３の回転角に関しても、回転部材側検出手段３１をシャフト側検出手段３０と同様の構成にすることで、絶対的な数値を一義的に検出することができるとともに、高精度に算出することができる。
【００８６】
また、環状部材４１は、最大比透磁率３０万〜６５万となるように設けられ、シャフト側磁石３３、シャフト側磁界検出手段３４、３５およびシャフト側ナット状部材３６、ならびに回転部材側磁石４６、回転部材側磁界検出手段４７、４８および回転部材側ナット状部材４９を外周側から包囲する。
これにより、回転角検出手段１４の近傍に別の磁石や大電流が流れる電線等が存在しても、これらの周辺の磁気は、環状部材４１により回転角検出手段１４に対して遮蔽され、回転角検出手段１４に悪影響を与えない。このため、回転角検出手段１４に周辺の磁気が影響するのを阻止して検出精度を低下させないようにすることができる。
【００８７】
また、シャフト側検出手段３０および回転部材側検出手段３１を磁気遮蔽する機能と、シャフト側ナット状部材３６および回転部材側ナット状部材４９を回転規制して軸方向に上下動させる機能とを１つの部材である環状部材４１に具備させることができるので、部品点数を削減できる。
【００８８】
また、シャフト側ナット状部材３６および回転部材側ナット状部材４９は、外周縁の形状が同一である。
これにより、環状部材４１の平坦な内周面４２を含む内周縁の形状を、軸方向において同一にすることができる。このため、環状部材４１を低コストで製造できる。
【００８９】
〔変形例〕
実施例１の車両用操舵装置１によれば、第１、第２電動モータ３、５、第１、第２回転部材１３、７２、第１、第２ＥＣＵ１５、７４、回転角検出手段１４およびトルク検出手段７３が１つのモジュール１０４に組み込まれていたが、第１、第２電動モータ３、５以外の機器をモジュール１０４に組み込むか否かは、車両における車両用操舵装置１以外の他の装置や機器等の搭載状況等に応じて決めることができる。例えば、第１、第２電動モータ３、５および第１、第２ＥＣＵ１５、７４のみをモジュール１０４に組み込んでもよく、第１、第２電動モータ３、５および第１、第２回転部材１３、７２のみをモジュール１０４に組み込んでもよい。
【００９０】
また、実施例１の車両用操舵装置１によれば、回転角検出手段１４は、ステアリングシャフト１２の回転角を検出するシャフト側検出手段３０、および第１回転部材１３の回転角を検出する回転部材側検出手段３１を有し、ステアリングシャフト１２と第１回転部材１３との相対回転角を検出するものであったが、例えば、回転部材側検出手段３１を、第１回転部材１３から転舵輪に至る力の伝達経路に配された第１回転部材１３以外の別の部材に装着し、この別の部材の回転角等とステアリングシャフト１２の回転角とから相対回転角を検出するようにしてもよい。
【００９１】
また、回転角検出手段１４は、シャフト側検出手段３０および回転部材側検出手段３１の両方の検出手段で構成されていたが、回転角検出手段１４を１つの検出手段のみで構成してもよい。例えば、回転部材側磁界検出手段４７、４８を第１回転部材１３とともに回転可能となるように設け、シャフト側磁石３３により形成される磁界の磁束密度を回転部材側磁界検出手段４７、４８により検出するようにしても、ステアリングシャフト１２の回転角と第１回転部材１３の回転角との相対回転角を検出することができる。
【００９２】
また、シャフト側磁界検出手段３４、３５の内のいずれか一方のみで磁束密度を検出するようにして、１つの検出信号に基づく逆正弦（または逆余弦）を演算することで、ステアリングシャフト１２の回転角を検出するようにしてもよい。
なお、回転部材側磁界検出手段４７、４８も、同様に、いずれか一方のみで第１回転部材１３の回転角を検出することができる。
【００９３】
また、環状部材４１は、軸方向に互いに平行な２つの平坦な内周面４２を有する略円筒状に設けられ、シャフト側ナット状部材３６および回転部材側ナット状部材４９は外周縁の形状が同一であり、各々の平坦外周縁４３、５６は２つの平坦な内周面４２に面接触していたが、シャフト側ナット状部材３６と回転部材側ナット状部材４９とは、外周縁の形状が異なっていてもよく、さらに、シャフト側検出手段３０、回転部材側検出手段３１が、各々、別体の環状部材により外周側から包囲されていてもよい。
【００９４】
また、図８に示すように、環状部材４１に、軸方向に互いに平行な２つの回転規制棒１０９を設け、回転規制棒１０９をシャフト側ナット状部材３６や回転部材側ナット状部材４９に貫通させることで、シャフト側ナット状部材３６や回転部材側ナット状部材４９を回転規制してもよい。
【図面の簡単な説明】
【００９５】
【図１】車両用操舵装置の全体図である（実施例１）。
【図２】車両用操舵装置の構成を示す内部断面図である（実施例１）。
【図３】舵角比可変装置の電気回路図である（実施例１）。
【図４】（ａ）は回転角検出手段の要部を示す斜視図であり、（ｂ）は環状部材の斜視図である（実施例１）。
【図５】回転角検出手段からの検出信号における回転角と出力値との相関を示す相関図である（実施例１）。
【図６】電動パワーステアリング装置の電気回路図である（実施例１）。
【図７】モジュールの構成図である（実施例１）。
【図８】環状部材の斜視図である（変形例）。
【符号の説明】
【００９６】
１  車両用操舵装置
２  舵輪
３  第１電動モータ
４  ＶＧＲＳ（舵角比可変装置）
５  第２電動モータ
６  ＥＰＳ（電動パワーステアリング装置）
１２  ステアリングシャフト
１３  第１回転部材（回転部材）
１４  回転角検出手段
３０  シャフト側検出手段
３１  回転部材側検出手段
３３  シャフト側磁石（磁石）
３４  シャフト側磁界検出手段（磁界検出手段）
３５  シャフト側磁界検出手段（磁界検出手段）
３６  シャフト側ナット状部材
３９  雄ネジ
４０  雌ネジ
４１  環状部材
４６  回転部材側磁石（磁石）
４７  回転部材側磁界検出手段（磁界検出手段）
４８  回転部材側磁界検出手段（磁界検出手段）
４９  回転部材側ナット状部材
５２  雄ネジ
５３  雌ネジ
１０４  モジュール
【図１】
2009083545.tif 000003
【図２】
2009083545.tif 000004
【図３】
2009083545.tif 000005
【図４】
2009083545.tif 000006
【図５】
2009083545.tif 000007
【図６】
2009083545.tif 000008
【図７】
2009083545.tif 000009
【図８】
2009083545.tif 000010